(57)【要約】      （修正有）【課題】小分袋や計量カップ等を使用しないでも、所定量の計量を望むユーザには、所定量の内容物を簡単に計量することができる、包装袋を提供する。【解決手段】包装袋１の裏面１ｂまたは表面１ａ等に、使用前はシート状であり、使用時には、包装袋１から取り外され、折られることにより所定量の計量容器となる計量シート１５が付属されているので、小分袋や別に計量カップ等を使用しないでも、所定量の計量を望むユーザには、所定量の内容物を簡単に計量することができる。【選択図】図１
0003159531.tif 000002
【実用新案登録請求の範囲】
【請求項１】
使用前はシート状であり、使用時には、包装袋から取り外され、折られることにより所定量の計量部となる計量シートが付属されている、
ことを特徴とする包装袋。
【請求項２】
請求項１記載の包装袋において、
前記計量シートは、糊により前記包装袋に張り付けられている、ことを特徴とする包装袋。
【請求項３】
請求項１記載の包装袋において、
前記計量シートは、前記包装袋内に収容される、ことを特徴とする包装袋。
【請求項４】
請求項１〜請求項３記載の包装袋において、
前記所定量の計量部は、
把持部のない計量容器、または把持部を有する計量スプーンである、ことを特徴とする包装袋。
【請求項５】
使用時には、上側端および両側端がシールされた包装袋上部が切り取り線に従い切り取られ、切り取られた部分を開口とする前記包装袋上部を上下逆にすることにより、所定量の計量部として利用できるように予め前記包装袋上部の上下方向の長さを決めておく、
ことを特徴とする包装袋。
【考案の詳細な説明】
【技術分野】
【０００１】
本考案は、内容物を計量することができる包装袋に関する。
【背景技術】
【０００２】
従来の包装袋として、例えば、包装袋上部にチャックが設けられており、チャックより上部にノッチ（切り込み）と、切り取り線を形成し、チャックより上方の包装袋上端部を切り離すことにより、密封状態の包装袋を開封可能にしたものがある（例えば、特許文献１、２参照。）。
【先行技術文献】
【特許文献】
【０００３】
【特許文献１】特開２００７−１７６５０２号公報
【特許文献２】特開２００６−３４１８８０号公報
【考案の概要】
【考案が解決しようとする課題】
【０００４】
しかし、背景技術の包装袋では、包装袋自体では、その内容物を計量して取り出すことまで考慮されていないので、計量する場合には、別の計量カップ等や量り等を用いていた。
【０００５】
また、内容物を所定量計量して使用することを希望するユーザのために、予め内容物を小分した小分け袋に収納しているものもあるが、これでは、余分な包装が必要になると共に、小分けを希望しないユーザの場合には、不便であった。
【０００６】
特に、昨今、ペットの餌の場合、餌の与えすぎが問題になっており、１回分の餌等の所定量を簡単に取りだすことができる包装袋が望まれている。
【０００７】
そこで、本考案は、小分袋や別に計量カップ等を使用しないでも、所定量の計量を望むユーザには、所定量の内容物を簡単に計量することができる、包装袋を提供することを目的とする。
【課題を解決するための手段】
【０００８】
前記課題を解決するため、本考案の包装袋は、使用前はシート状であり、使用時には、包装袋から取り外され、折られることにより所定量の計量部となる計量シートが付属されている、ことを特徴とする包装袋である。
ここで、前記計量シートは、糊により前記包装袋に張り付けられている、ことを特徴とする包装袋とすると良い。
また、前記計量シートは、前記包装袋内に収容される、ことを特徴とする包装袋としても良い。
また、前記所定量の計量部は、把持部のない計量容器、または把持部を有する計量スプーンである、ことを特徴とする包装袋としても良い。
また、本考案の包装袋は、使用時には、上側端および両側端がシールされた包装袋上部が切り取り線に従い切り取られ、切り取られた部分を開口とする前記包装袋上部を上下逆にすることにより、所定量の計量部として利用できるように予め前記包装袋上部の上下方向の長さを決めておく、ことを特徴とする包装袋でも良い。
【考案の効果】
【０００９】
本考案によれば、使用前はシート状であり、使用時には、包装袋から取り外され、折られることにより所定量の計量部となる計量シートが付属されていたり、あるいは使用時には、上側端および両側端がシールされた包装袋上部が切り取り線に従い切り取られ、切り取られた部分を開口とする包装袋上部を上下逆にすることにより、所定量の計量部として利用できるように予め包装袋上部の長さが決められているので、小分袋や別に計量カップ等を使用しないでも、所定量の計量を望むユーザには、所定量の内容物を簡単に計量することができる。
【図面の簡単な説明】
【００１０】
【図１】本考案の実施形態１の包装袋１の構成例を示す図である。
【図２】図１に示す実施形態１の計量シート１５を拡大して示す説明図である。
【図３】図１に示す実施形態１の計量シート１５を折っている状態を示す説明図である。
【図４】図１に示す実施形態１の計量シート１５を折ることにより完成した計量容器１５’の構成例を示す図である。
【図５】実施形態１の計量容器１５’の使用例を示す説明図である。
【図６】本考案の実施形態２の包装袋２の構成例を示す図である。
【図７】図６に示す実施形態２の計量シート２５を拡大して示す説明図である。
【図８】図６に示す実施形態２の計量シート２５を折ることにより形成された計量スプーン２５’の構成例を示す図である。
【図９】実施形態２の計量スプーン２５’の使用例を示す説明図である。
【図１０】本考案の実施形態３の包装袋３の構成例を示す図である。
【考案を実施するための形態】
【００１１】
実施形態１．
次に、本考案の包装袋の実施形態１について説明する。
【００１２】
図１は、本考案の実施形態１の包装袋１の構成例を示す図である。
【００１３】
図１において、実施形態１の包装袋１は、例えば、３層の多層プラスチックフィルムからなる袋表面部材１ａまたは袋裏面部材１ｂの両端と底部を熱等によりシールすることにより構成されている。そのため、３層の多層プラスチックフィルムの最下層は、熱等により溶融するヒートシール性プラスチック層を有している。なお、包装袋１の素材は、多層プラスチックフィルムに限定されるものではない。
【００１４】
そして、包装袋１上部には、袋表面部材１ａ内側または袋裏面部材１ｂ内側に設けられたオス側とメス側とが嵌まり合うチャック１１が設けられている。また、チャック１１の上方には、包装袋１両端には、切り取り箇所を示すＵ字形状等のノッチ１２が形成されていると共に、そのノッチ１２に繋がる切り取り線１３が形成されている。なお、本考案では、チャック１１や、ノッチ１２、および切り取り線１３は、必須のものではく、省略されていても良い。
【００１５】
なお、図１に示す包装袋１は、内容物が収容されていない状態を示しており、内容物収容後に切り取り線１３より上方の包装袋１上端がシールされ、密封（密閉）される。そして、開封時には、切り取り線１３に従って包装袋１上端が切り取られることにより開封される。
【００１６】
そして、この包装袋１の裏面１ｂには、使用前はシート状であり、使用時には、包装袋１から取り外され、折られることにより所定量の計量部として所定量の計量容器１５’となる計量シート１５が、糊等により貼り付けられて付属されている。ここで、計量シート１５は、プラスチックや、フィルム、ビニール、紙等の内容物を乗せることができる程度の強度や厚さをもった素材から出来ている。なお、計量シート１５は、包装袋１の裏面１ｂに記載された文字や絵等が透けて見えたり、計量容器１５’になった際、内容物が透けるよう透明シートであることが望ましいが、透明シートでなくても勿論よい。また、計量シート１５は、包装袋１の表面１ｂに貼り付けられていても良いし、さらには、貼り付けるスペースさえあれば、包装袋１の側面１ｃでも、底面１ｄに貼り付けられていても勿論よい。さらには、糊等による貼り付けでなく、包装袋１の中に挿入されていても良いし、包装袋１の裏面１ｂや表面１ａの一部を切り取るように設けられていても良いし、要は、包装袋１に付属されていれば良い。このことは、後述する次の実施形態２でも同様である。
【００１７】
なお、図１において、影線で示す１５ａは、計量シート１５と、包装袋１の裏面１ｂとの間の、糊付け部分である。計量シート１５を取り外した後でも、計量シート１５の糊付け部分１５ａに、多少の糊が多少の残っていると、後述するように計量シート１５を折り、計量容器１５’を構成する場合に、重なり部分に糊がくるので、計量容器１５’の形が崩れ難くなる。
【００１８】
図２は、図１に示す実施形態１の計量シート１５を拡大して示す説明図である。
【００１９】
図２に示すように、実施形態１の計量シート１５は、一枚のシートからなり、包装袋１から取り外され使用されるもので、図上、破線（点線）で示す折り目線１５１に従って折り、掛け止め部同士を掛け止めすることにより、後述の図４に示すような所定量の計量容器１５’となる。そのため、この計量シート１５には、折り目線１５１だけでなく、切れ目１５２ａ〜１５２ｄと、掛け止め部１５２ｅ〜１５２ｈとが設けられている。
【００２０】
なお、切れ目１５２ａ〜１５２ｄと、掛け止め部１５２ｅ〜１５２ｈとは、予め設けられてなく、計量シート１５を使用するときに、ユーザがハサミ等により切れ目を入れることにより形成するようにしても勿論よい。
【００２１】
図３は、図１に示す実施形態１の計量シート１５を折っている状態を示す説明図である。
【００２２】
具体的には、図３では、図２に示す計量シート１５を、その折り目線１５１に従って、内側に折っている状態を示している。この状態では、掛け止め部１５２ｅと掛け止め部１５２ｆ、また掛け止め部１５２ｇと掛け止め部１５２ｈとがまだ掛け止め合ってなく、計量容器１５’は完成していいない。
【００２３】
図４は、図１に示す実施形態１の計量シート１５を折ることにより完成した計量容器１５’の構成例を示す図である。
【００２４】
具体的には、図４では、図２に示す計量シート１５を、その折り目線１５１に従って、内側に折り、計量容器１５’が完成した状態を示している。この状態では、図４に示すように、掛け止め部１５２ｅと掛け止め部１５２ｆとが掛け止め合う一方、掛け止め部１５２ｇと掛け止め部１５２ｈとも掛け止め合って、計量容器１５’が完成している。
【００２５】
そして、計量容器１５’の容量は、所定量、例えば、包装袋１の内容物がペットの餌等の場合には、１回分の餌の量とする。
【００２６】
すると、図５に示すように、包装袋１の内容物Ｃを、この所定量の計量容器１５’に入れることにより、包装袋１の内容物Ｃがペットの餌等の場合には、小分袋や別に計量カップ等を使用しないでも、計量シート１５として付属していた計量容器１５’により簡単に１回分の餌等の内容物Ｃの量を計量することができる。
【００２７】
従って、実施形態１の包装袋１によれば、使用前はシート状であり、使用時には、包装袋１から取り外され、折られることにより所定量の計量容器１５’となる計量シート１５が付属されているので、小分袋や別に計量カップ等を使用しないでも、所定量の計量を望むユーザには、所定量の内容物Ｃを簡単に計量することができる。
【００２８】
実施形態２．
次に本考案の実施形態２の包装袋２について説明する。
【００２９】
図６は、本考案の実施形態２の包装袋２の構成例を示す図である。なお、図１に示す実施形態１の包装袋１と同一構成要素には、同一符号を付して、説明を省略する。
【００３０】
図６において、実施形態２の包装袋２には、例えば、包装袋２の裏面２ｂに、使用前はシート状であり、使用時には、包装袋２から取り外され、折られることにより所定量の計量部として所定量の計量スプーン２５’となる計量シート２５が、糊等により貼り付けられて付属されている。なお、この計量シート２５は、透明シートが望ましく、包装袋２の裏面２ａでなく、包装袋２の表面２ｂや、側面２ｃ等に設けられていたり、包装袋２の中に入れたり等して付属しても良い点は、実施形態１と同様である。
【００３１】
なお、図６において、影線で示す２５ａは、計量シート２５と、包装袋２の裏面２ｂとの間の、糊付け部分である。計量シート２５を取り外した後でも、計量シート２５の糊付け部分２５ａに、多少の糊が多少の残っていると、計量スプーン２５’を構成する場合に、重なり部分に糊がくるので、計量スプーン２５’の形が崩れ難くなる。
【００３２】
図７は、図６に示す実施形態２の計量シート２５を拡大して示す説明図である。
【００３３】
図７に示すように、実施形態２の計量シート２５は、図２に示す実施形態１の計量シート１５と同様に、一枚のシートからなり、包装袋２から剥がされて使用されるもので、図上、破線（点線）で示す折り目線２５１に従って、内側に折り、掛け止め部同士を掛け止めすることにより把持部を有する所定量の計量スプーン（計量カップ）２５’となる。そのため、この計量シート２５には、掛け止め部２５２ａ，２５２ｂと、掛け止め部２５２ｃ，２５２ｄが予め設けられている。なお、これら掛け止め部２５２ａ，２５２ｂと、掛け止め部２５２ｃ，２５２ｄは、予め設けられてなく、計量シート２５を使用するときに、ユーザがハサミ等により切れ込み入れて形成するようにしても勿論よい。
【００３４】
また、図７において、２６ａ，２６ｂは、計量スプーン２５’に形成した際、把持部２５３’として合わせる際の目印である。なお、図６に示すように糊付け部分２５ａを広く設けても良いが、少なくとも、この目印２６ａ，２６ｂの裏側に、計量シート２５を包装袋２に張り付けるための糊が着けられていると、把持部２５３’として目印２６ａ，２６ｂ同士を合わせたときにも、その糊により、目印２６ａ，２６ｂ同士が離れ難くなり、強固な把持部２５３’を作成することが可能となる。
【００３５】
そして、計量シート２５を折り目線２５１に従って折り、掛け止め部２５２ｃと掛け止め部２５２ｄとが掛け止め合い、目印２６ａ，２６ｂ同士を合わせると、図８に示すような計量スプーン２５’となる。
【００３６】
図８は、図６に示す実施形態２の計量シート２５を折ることにより形成された計量スプーン２５’の構成例を示す図である。
【００３７】
具体的には、図８は、図７に示す計量シート２５を、その折り目線２５１に従って、内側に折り、掛け止め部２５２ｃと掛け止め部２５２ｄとを掛け止め合い、目印２６ａ，２６ｂ同士を合わせて把持部２５３’とすることにより、計量スプーン２５’が完成した状態を示している。
【００３８】
ここで、計量スプーン２５’の容量を、所定量、例えば、包装袋２の内容物がペットの餌等の場合には、１回分の餌の量等とする。
【００３９】
そして、図９（ａ）に示すように、完成した計量スプーン２５’の把持部２５３’の目印２６ａ，２６ｂ部分を持ち、図９（ｂ）に示すように、包装袋２の内容物Ｃである餌等を、この所定量の計量スプーン２５’を用いて取り出すことにより、量りや別に計量カップ等を用意することなく、簡単に１回分の餌の量を計量することができる。
【００４０】
従って、実施形態２の包装袋２によれば、使用前はシート状であり、使用時には、包装袋２から取り外され、折られることにより所定量の計量スプーン２５’となる計量シート２５が付属されているので、小分袋や別に計量カップ等を使用しないでも、所定量の計量を望むユーザには、所定量の内容物Ｃを簡単に計量することができる。
【００４１】
実施形態３．
上記実施形態１，２では、使用前はシート状であり、使用時には、包装袋１，２から取り外され、折られることにより所定量の計量容器１５’または計量スプーン２５’となる計量シート１５，２５を付属させて説明したが、本実施形態３の包装袋３は、使用時には、上側端および両側端がシールされた包装袋上部３５が切り取り線１３に従い切り取られ、切り取られた部分を開口とする包装袋上部３５を上下逆にすることにより、所定量の計量部である計量容器や計量スプーンとして利用したものである。
【００４２】
図１０は、本考案の実施形態３の包装袋３の構成例を示す図である。
【００４３】
図１０（ａ）に示すように、包装袋３の包装袋上部３５を切り取り線１３に従い切り取り、図１０（ｂ）に示すように、切り取られた部分を開口３５ｃとする包装袋上部３５を上下逆にすると、包装袋上部３５は、シールされた上側端３５ａが底になる。
【００４４】
そのため、図１０（ａ），（ｂ）に示すように、本考案の実施形態３の包装袋３では、切り取った包装袋上部３５を上下逆にすることにより、所定量の計量部である計量容器や計量スプーンとして利用できるように、予め包装袋上部３５の上下方向の長さ３５ｂを決めておく。
【００４５】
そして、図１０（ｃ）に示すように、切り取り上下逆にした包装袋上部３５に内容物Ｃを入れることにより、実施形態１，２の計量容器１５’や計量スプーン２５’と同様に、内容物Ｃを所定量、例えば、１回分の量等を計量することができる。
【００４６】
なお、切り取った包装袋上部３５を上下逆にして所定量の計量部として利用する際、切り取られた部分である開口３５ｃは、計量の際、内容物の挿入口となるが、多層プラスチックフィルムのままでは、強度的に弱く、計量容器または計量スプーンの形状を維持できず、利用し難い場合は、開口３５ｃ付近、すなわち切り取り線１３付近の多層プラスチックフィルムの外側面または内側面に、形状維持用のプラスチック片等の補強部３５ｄを予め設けておくようにしても良い。
【００４７】
また、切り取った包装袋上部３５を上下逆にして所定量の計量部として利用することを予め考慮しておき、包装袋上部３５に、広げたときにほぼ水平とって安定する包装袋底部１ｄと同様の、包装袋天井部（図示せず）を設けるようにしても良い。
【００４８】
従って、実施形態３の包装袋３によっても、使用時には、上側端および両側端がシールされた包装袋上部３５が切り取り線に従い切り取られ、切り取られた部分を開口とする包装袋上部３５を上下逆にして、所定量の計量容器や計量スプーンとして利用するので、小分袋や別に計量カップ等を使用しないでも、所定量の計量を望むユーザには、所定量の内容物Ｃを簡単に計量することができる。
【００４９】
特に、実施形態３の包装袋３では、切り取られ不要となる包装袋上部３５を上下逆にして所定量の計量容器や計量スプーンとして利用するので、実施形態１，２とは異なり、所定量の計量容器１５’または計量スプーン２５’となる計量シート１５，２５が不要となり、この点で、材料費を削減することができ、また切り取られた包装袋上部を利用するので、エコロジーな商品とすることができる。
【産業上の利用可能性】
【００５０】
本考案の包装袋は、使用前はシート状であり、使用時には、包装袋から取り外され、折られることにより所定量の計量部となる計量シートが付属されていたり、あるいは使用時には、上側端および両側端がシールされた包装袋上部が切り取り線に従い切り取られ、切り取られた部分を開口とする包装袋上部を上下逆にすることにより、所定量の計量部として利用できるように予め包装袋上部の長さが決められているので、小分袋や別に計量カップ等を使用しないでも、所定量の計量を望むユーザには、所定量の内容物を簡単に計量することができるので、例えば、包装袋を開け閉めして、半固形状態や固形状態等のペットの餌等の内容物を所定量ずつ取り出す、ペットの餌等の包装袋に産業上の利用可能性がある。
【符号の説明】
【００５１】
１，２，３  包装袋
１ｃ  シール部
１１  チャック
１２  ノッチ
１３  切り取り線
１５，２５  計量シート
１５’  計量容器
２５’  計量スプーン
３５  切り取られた包装袋上部
２５３’  把持部
【図１】
0003159531.tif 000003
【図２】
0003159531.tif 000004
【図３】
0003159531.tif 000005
【図４】
0003159531.tif 000006
【図５】
0003159531.tif 000007
【図６】
0003159531.tif 000008
【図７】
0003159531.tif 000009
【図８】
0003159531.tif 000010
【図９】
0003159531.tif 000011
【図１０】
0003159531.tif 000012
【手続補正書】
【提出日】平成22年3月18日(2010.3.18)
【手続補正１】
【補正対象書類名】実用新案登録請求の範囲
【補正対象項目名】全文
【補正方法】変更
【補正の内容】
【実用新案登録請求の範囲】
【請求項１】
使用前はシート状であり、使用時には、包装袋から取り外され、折られることにより所定量の計量部となる計量シートが付属されている、
ことを特徴とする包装袋。
【請求項２】
請求項１記載の包装袋において、
前記計量シートは、糊により前記包装袋に張り付けられている、ことを特徴とする包装袋。
【請求項３】
請求項１記載の包装袋において、
前記計量シートは、前記包装袋内に収容される、ことを特徴とする包装袋。
【請求項４】
請求項１〜請求項３のいずれか１項に記載の包装袋において、
前記所定量の計量部は、
把持部のない計量容器、または把持部を有する計量スプーンである、ことを特徴とする包装袋。
【請求項５】
使用時には、上側端および両側端がシールされた包装袋上部が切り取り線に従い切り取られ、切り取られた部分を開口とする前記包装袋上部を上下逆にすることにより、所定量の計量部として利用できるように予め前記包装袋上部の上下方向の長さを決めておく、
ことを特徴とする包装袋。